(57)【要約】【課題】  従来のコースターよりも優れた吸水性を有し、使用後のメンテナンス手間を何ら負担することなく、繰り返して快適に使用することが可能な使い捨てのコースター及び万能シートを提供する。【解決手段】  高吸水性ポリマーを含んでなる吸水層の上下及び側縁を、一対の透水性部材（２）（３）で覆い、該透水性部材（２）（３）の周縁部（４）を接合手段（５）を介して互いに接合して両面使用可能とする。また、吸水層（１０）は、高吸水性ポリマー（１１）を固着してなる綿状パルプ（１２）を薄いシート状に圧縮加工し、その上下に吸水紙（１３）（１４）を積層することによって構成する。【選択図】図２
0003128765.tif 000002
【実用新案登録請求の範囲】
【請求項１】
高吸水性ポリマーを含んでなる吸水層の上下及び側縁が、一対の透水性部材で覆われ、該透水性部材の周縁部が接合手段を介して互いに接合された、両面使用可能な使い捨てコースター。
【請求項２】
該吸水層は、高吸水性ポリマーを固着してなる綿状パルプを薄いシート状に圧縮加工し、その上下に吸水紙を積層することによって構成されたものである請求項１に記載の使い捨てコースター。
【請求項３】
該吸水層の上下両面には、多数のエンボス加工が施された請求項１又は２に記載の使い捨てコースター。
【請求項４】
高吸水性ポリマーを含んでなる吸水層の上下及び側縁が、一対の透水性部材で覆われ、該透水性部材の周縁部が接合手段を介して互いに接合された、両面使用可能な万能シート。
【考案の詳細な説明】
【技術分野】
【０００１】
本考案は、使い捨てできるコースター及び万能シートに関するものである。
【背景技術】
【０００２】
従来、例えばコーヒー、お茶、アルコール類等を入れたカップ、グラス、茶碗等をテーブルの上に置く際に、テーブルの汚れ等を防止するための受け皿として、コースターが用いられることがある。
このようなコースターとしては、金属・ガラス・陶器・レンガ・タイル・瓦等の比較的堅固な素材を用いたもの、木・竹等の自然素材を用いたもの、布やタオル地等の繊維素材を用いたもの、紙素材を用いたもの、等が一般には知られている。
【０００３】
しかしながら、上記金属・ガラス等の素材を用いたものは、コースターの吸水性が低いため、カップ等の表面に結露した水滴等が、コースター上に垂れてきて溜まり、カップ等を持ち上げるとコースターが吸着されて一体となって持ち上がったり、カップ等の底面に付着した水滴等が衣服や書類等を濡らしてしまって、快適に使用することができないという問題があった。また、これらの素材を用いたものの中には、かなり重いものも有り、誤って落としたときに、テーブルや床を傷つけてしまうという問題もあった。
上記木・竹等の自然素材を用いたものも、やはりコースターの吸水性が低いため、上記同様の問題がある他、使用後に残存した水分によりカビが発生してしまうという問題があった。
上記布やタオル地等の繊維素材を用いたものは、コースターの吸水性は比較的優れるものの、使用後に洗濯したり、アイロンがけをしたりする必要があり、使用後のメンテナンス手間がかかるものであった。
上記紙素材を用いたものは、使い捨てにできるという利点はあるが、コースターの吸水性が十分ではなく、また来客用としても適していなかった。
【０００４】
紙素材のコースターにおいて、複数の空気穴を設けて吸水性の向上を図ろうとしたものとしては、例えば特許文献１がある。
【０００５】
【特許文献１】実用新案登録第３０８５９７６号
【考案の開示】
【考案が解決しようとする課題】
【０００６】
しかしながら、上記特許文献１に開示されたコースターによっても、十分な吸水性を得ることは難しく、カップ等の表面に結露した水滴等が、コースター上に垂れてきて溜まってしまい、上記問題は依然として解消されていなかった。
【０００７】
そこで、本考案は上記問題に鑑みてなされたものであり、従来のコースターよりも優れた吸水性を有し、使用後のメンテナンス手間を何ら負担することなく、繰り返して快適に使用することが可能な使い捨てのコースター及び万能シートを提供することを目的とするものである。
【課題を解決するための手段】
【０００８】
上記の課題を解決するために、請求項１記載の両面使用可能な使い捨てコースターは、高吸水性ポリマーを含んでなる吸水層の上下及び側縁が、一対の透水性部材で覆われ、該透水性部材の周縁部が接合手段を介して互いに接合されたことを要旨とする。
【０００９】
また、請求項２に記載の使い捨てコースターは、請求項１に記載の構成において、該吸水層は、高吸水性ポリマーを固着してなる綿状パルプを薄いシート状に圧縮加工し、その上下に吸水紙を積層することによって構成されたものであることを要旨とする。
【００１０】
また、請求項３に記載の使い捨てコースターは、請求項１又は２に記載の構成において、該吸水層の上下両面には、多数のエンボス加工が施されたことを要旨とする。
【００１１】
また、請求項４に記載の両面使用可能な万能シートは、高吸水性ポリマーを含んでなる吸水層の上下及び側縁が、一対の透水性部材で覆われ、該透水性部材の周縁部が接合手段を介して互いに接合されたことを要旨とする。
【考案の効果】
【００１２】
本考案によれば、高吸水性ポリマーを含んでなる吸水層の上下及び側縁を、一対の透水性部材で覆い、透水性部材の周縁部を接合手段を介して互いに接合してコースター及び万能シートを構成したため、従来のコースターに比べて優れた吸水性を有し、使用後のメンテナンス手間を何ら負担することなく、繰り返して快適に使用することが可能な使い捨てのコースター及び万能シートを提供することが可能となる。
【考案を実施するための最良の形態】
【００１３】
本考案に係るコースター及び万能シートは、高吸水性ポリマーを含んだ吸水層の上下及び側縁を、上下一対の透水性部材によって覆うことによって構成する。吸水層又は透水性部材に、脱臭剤、防カビ剤、抗菌剤、芳香剤、消臭剤等を担持させて構成することとしてもよい。
吸水層は、基体に高吸水性ポリマーを所定量担持させて構成する。基体としては、天然繊維又は合成繊維からなる綿状物を好適に用いることができる。基体に高吸水性ポリマーを担持させる方法としては、例えば、基体間に高吸水性ポリマーを挟持又は混合して圧着固定する等の方法が用いられる。
【００１４】
高吸水性ポリマーは、自重の約１００倍から１０００倍もの水を吸収することができ、水を吸収すると膨張してゲルを形成し、その後は外部から圧力を加えられても離水しないという優れた保水力を有するポリマーである。高吸水性ポリマーとしては、澱粉系、セルロース系、ポリアクリル酸塩系、ポリビニルアルコール系のいずれを用いてもよく、澱粉、カルボキシメチルセルロース、ポリアクリル酸、ポリビニルアルコールなどの水溶性ポリマーをわずかに架橋することで高吸水性ポリマーを得ることができる。吸水性、生産性、コスト等の点を考慮すると、イオン性基としてカルボン酸ナトリウム基（−ＣＯＯ−、Ｎａ＋）を有するポリアクリル酸ナトリウム系のものを用いることが好ましい。
【００１５】
透水性部材としては、例えば紙や不織布等を用いる。
不織布は、一般に、ボーラス（多孔質）構造を有し、通気性、ろ過性に優れ、低コストで製造できるという基本的特徴を有するものであるが、中でも本考案に好適に用いられる不織布は、コースターに載置されるカップ等から垂れてくる結露水等の水分を、下方の吸水層に速やかに導くことが可能な透水性を備えるとともに、カップ等から垂れてくる結露水等によって容易に破れることがない耐水性を備えたものである。従って、特にレーヨン、ポリプロピレン、ポリエチレン、ポリエステル等を好適に用いることができる。不織布の透水性向上のために、メッシュ加工を施すこととしてもよい。
不織布の色や材質を適宜選択することで、和風、洋風等好みのコースター及び万能シートを形成することが可能となる。
【００１６】
本考案に係るコースター及び万能シートは、上記構成の吸水層を、上記構成の一対の透水性部材によって挟持して、両面使用可能に構成する。上下の透水性部材は、互いに同一構成のものであっても、異なった構成のものであってもよい。
上下一対の透水性部材の周縁部は、接合手段を介して互いに接合する。接合手段としては、例えば両面テープ、接着剤、ヒートシール、ラミネート、ニードルパンチング、縫着等、透水性部材を相互に面接合するのに適した公知の方法を、制限無く用いることができる。
【００１７】
本考案に係る万能シートは、一定量の水分を断続的に又は継続して吸収するために用いられるものであれば、その用途について特に限定はない。すなわち、両面使用可能な使い捨てコースターとしての使用は勿論のこと、大きさを適宜調整して形成することにより、ランチョンマット、花瓶敷き、化粧敷き、果物（スイカなど汁の多いもの）を食べるときの下敷き、パーティグッズとしての敷物等にも用いることができる。また、ハンドバック等に入れて携帯し、ハンカチ代わりに使用することもできる。さらに、水を含ませて凍らせたものを簡易保冷材や簡易熱さましとして使用することもできる。
また、本考案に係るコースター及び万能シートは、薄型のシート状に形成するものとするが、その平面形状は、矩形の他に、円形、楕円形、ハート形、三角形、多角形等種々の形状とすることができる。
【実施例１】
【００１８】
本考案の一実施形態を、図１〜図２を参照しながら説明する。
【００１９】
本実施例に係るコースター（１）は、図１〜図２に示すように、全体として平面視で略正方形をなす薄型シート形状で、吸水層（１０）の上下及び側縁を、ポリエステル製等の不織布（２）（３）が覆うようにして上下対称に構成されている。
吸水層（１０）は、図２に示すように、高吸水性ポリマー（１１）を混合・固着してなる１００％綿状パルプ（１２）を薄いシート状に圧縮加工し、その上下に吸水紙（１３）（１４）を積層することによって構成されている。
不織布（２）（３）は、図１〜図２に示すように、吸水層（１０）よりも若干大きな平面を有し、その四方周縁部（４）がヒートシール等の接合手段（５）を介して互いに接合されている。
【００２０】
本実施例に係るコースター（１）を使用すれば、コースター（１）上に載置したカップ等の表面に結露した水滴等が垂れてきても、不織布（２）を通過して吸水層（１０）に速やかに吸収され、しかも吸水層（１０）中の高吸水性ポリマー（１１）に吸収された水分は外圧をかけても後戻りしたり、反体の不織布（３）を通過して出て行くことはないため、コースター（１）の表面は乾燥した状態が保たれることとなる。
【００２１】
従って、本実施例に係るコースター（１）によれば、カップ等の表面に結露した水滴等が垂れてきても、コースター（１）上に水滴が溜まることがなく、カップ等を持ち上げたときにコースターが吸着されて一体となって持ち上がったり、カップ等の底面に付着した水滴等が衣服や書類等を濡らしてしまうといったことがないため、非常に快適に使用できる。
本実施例に係るコースター（１）を実験的に使用したところ、各使用後に何らのメンテナンスを行わなくとも、約１週間は吸水性が損なわれることなく繰り返して快適に使用することができた。
【００２２】
また、本実施例に係るコースター（１）は、軽量で手に取り易く、カップ等の表面に結露した水滴や、指先に付着した水分も拭きとることができ、その上、上下対称の構成であるために、両面共に同じように使用でき非常に便利である。
【実施例２】
【００２３】
本考案の他の実施形態を、図３を参照しながら説明する。なお、実施例１と同一の構成の部分には同一の符号を付し、その説明を省略している。
【００２４】
本実施例に係るコースター（１’）は、図３に示すように、高吸水性ポリマー（１１ａ）を、薄くシート状に圧縮された１００％綿状パルプ（１２ａ）（１２ｂ）の間に挟持・固着し、その外側に吸水紙（１３ａ）（１４ａ）を積層して、吸水層（１０ａ）を構成したものである。また、本実施例では、ハーブ等の芳香剤が綿状パルプ（１２ａ）（１２ｂ）に含侵されており、消臭効果を高める工夫がなされている。
さらに、本実施例に係るコースター（１’）では、吸水紙（１３ａ）（１４ａ）の表面に多数のエンボス（凹凸）加工を施して構成している。エンボス加工を施す工程としては、吸水紙（１３ａ）（１４ａ）を綿状パルプ（１２ａ）（１２ｂ）に積層して吸水層（１０ａ）を形成した後にエンボス加工を施すこととする他、予め吸水紙（１３ａ）（１４ａ）のみにエンボス加工を施しておき、これを綿状パルプ（１２ａ）（１２ｂ）に積層圧縮して吸水層（１０ａ）を形成することとしてもよい。
【００２５】
本実施例のような構成であっても、不織布（２）（３）を通過した水分が、吸水層（１０ａ）の高吸水性ポリマー（１１ａ）に速やかに吸収されるため、コースター（１’）の表面を乾燥した状態に保つことが可能となる。
さらに、本実施例に係るコースター（１’）によれば、吸水層（１０ａ）の上下両面に多数のエンボス加工を施すようにしたため、吸水層（１０ａ）の表面積が実施例１の場合に比べて増加し、より高い吸水性が得られる。
【実施例３】
【００２６】
本考案の第３の実施例を、図４を参照しながら説明する。本実施例は、本考案に係る万能シートに関するものである。
【００２７】
本実施例に係る万能シート（１ａ）は、図４に示すように、平面視で長方形をなし、高吸水性ポリマーを含んでなる吸水層の上下及び側縁が、一対の不織布（２ａ）（３ａ）によって覆われ、不織布（２ａ）（３ａ）の周縁部（４ａ）が接合手段を介して互いに接合されて構成されている。
このような万能シート（１ａ）であれば、折り畳む等してハンカチの代わりに常に携帯することが可能で、いざというときに取り出して、濡れた手を拭いたり、テーブル上面に付着した水滴を拭いたり、凍ったパウチ容器を巻装したりすることができ、便利である。また、シート（１ａ）は軽く嵩張らないため、携帯性にも優れている。
【産業上の利用可能性】
【００２８】
本考案は、従来のコースターよりも優れた吸水性を有し、使用後のメンテナンス手間を何ら負担することなく、繰り返して快適に使用することが可能な使い捨てのコースター及び万能シートを提供するものであり、産業上の利用可能性を有する。
【図面の簡単な説明】
【００２９】
【図１】本考案の使い捨てコースターの一実施形態を示す斜視図である。
【図２】実施例１の使い捨てコースターの拡大断面図である。
【図３】実施例２の使い捨てコースターの拡大断面図である。
【図４】実施例３の万能シートを示す斜視図である。
【符号の説明】
【００３０】
１  コースター
１ａ  万能シート
２、２ａ  不織布
３、３ａ  不織布
４、４ａ  周縁部
５  接合手段
１０  吸水層
１０ａ  吸水層
１１  高吸水性ポリマー
１１ａ  高吸水性ポリマー
１２  綿状パルプ
１２ａ、１２ｂ  綿状パルプ
１３、１４  吸水紙
１３ａ、１４ａ  吸水紙
【図１】
0003128765.tif 000003
【図２】
0003128765.tif 000004
【図３】
0003128765.tif 000005
【図４】
0003128765.tif 000006